(57)【要約】【課題】単純な構成で、長さの長いケーブルに対して、簡単に取り付けることが可能な鳥害防止具を提供する。【解決手段】本発明の鳥害防止具は、架空ケーブルを内部に収容可能な円筒形状の本体部と、本体部から半径方向に伸びる針状部と、本体部の軸方向に対して垂直な断面において、円筒形状の内部から外部にかけて連通する切込部とを有し、架空ケーブルを本体部に挿入する場合に、切込部を架空ケーブルが通過して本体部の内部に収容される。【選択図】図１
2016025728.tif 000002
【特許請求の範囲】
【請求項１】
架空ケーブルを内部に収容可能な円筒形状の本体部と、
前記本体部から、半径方向に伸びる針状部と、
前記本体部の軸方向に対して垂直な断面において、円筒形状の内部から外部にかけて連通する切込部と、を有し、
架空ケーブルを前記本体部に挿入する場合に、前記切込部を架空ケーブルが通過して前記本体部の内部に収容される
鳥害防止具。
【請求項２】
前記切込部は、前記本体部の軸方向に蛇腹状に蛇行して形成されている
請求項１に記載の鳥害防止具。
【請求項３】
前記本体部には、周方向に伸びる貫通穴が複数形成されている
請求項１又は２に記載の鳥害防止具。
【請求項４】
前記針状部は、前記切込部から離間した位置に形成される
請求項１〜３のいずれか１項に記載の鳥害防止具。
【請求項５】
前記針状部は、
所定の半径方向に伸びる第１針状部と、
前記第１針状部とは別の半径方向に形成される第２針状部と、
前記第１針状部及び前記第２針状部とは別の半径方向に形成される第３針状部と、
を有し、
前記第１針状部と前記第２針状部との間に、前記切込部が形成されており、
前記第３針状部は、前記第１針状部と前記第２針状部との間であって、前記切込部を含まない側の間に形成されており、
前記第１針状部と前記第２針状部とが前記切込部を含んでなす角度は、前記第２針状部と前記第３針状部とがなす角度よりも大きく形成される
請求項４に記載の鳥害防止具。
【請求項６】
前記本体部の軸方向端部には、同一形状の他の鳥害防止具と連結する為の連結部が形成されている
請求項１〜５のいずれか１項に記載の鳥害防止具。
【発明の詳細な説明】
【技術分野】
【０００１】
本発明は、空中に架け渡した通信ケーブルや絶縁電線を鳥害から防止する鳥害防止具に関するものである。
【背景技術】
【０００２】
電柱間などに架け渡された架空ケーブルには、鳥獣類が止まることがある。鳥獣類が止まると、周辺に対する糞害や鳴き声による騒音などの鳥害が生じる。このため、従来から架空ケーブルに鳥獣類が止まらないようにする鳥害防止が行われている。
【０００３】
例えば特許文献１には、架空ケーブルに取り付ける鳥害防止装置であって、ワイヤーを把持する把持部と防鳥用の細線を架空ケーブル上方に架設する細線架設部と把持部を締結する締結部とを有し、架空ケーブルに平行して、防鳥用の細線を架設することで、鳥害を防止する技術が開示されている。
【０００４】
また、特許文献２には、湾曲した状態の電線に対して、放射状に突出する複数の鳥障害用突起を備えたクリップが開示されている。
【先行技術文献】
【特許文献】
【０００５】
【特許文献１】特開２００５−１７８号公報
【特許文献２】特開２０１３−１５８３３２号公報
【発明の概要】
【発明が解決しようとする課題】
【０００６】
上記のような鳥害防止装置を架空ケーブルに取り付ける場合、それぞれ以下のような問題がある。特許文献１で示される技術の場合、長いケーブルや径の異なるケーブルに対しても、ボルトとナットで取り付けることができるが、ボルトやナットを用いているため、取付けが複雑であり、取付にテクニックを要するという問題がある。
【０００７】
また、特許文献２で示される技術の場合、一つ一つがケーブルの長さ方向に対して短いものであり、たくさんの数が必要となるため、取付けに時間がかかるという問題がある。さらに、長手方向に対して短い治具のため、設置には沢山の数が必要になる。このため、高所作業車の移動や、ハシゴの掛け替え作業を複数回行う必要があり、設置に時間がかかるという問題がある。
【０００８】
そこで、本発明は、上述した事情に鑑みてなされたものであり、単純な構成で、ケーブルの長さ方向にも長く簡単にケーブルに対して取り付けることが可能な鳥害防止具を提供することを目的とする。
【課題を解決するための手段】
【０００９】
上記課題を解決するために、本発明の鳥害防止具は、架空ケーブルを内部に収容可能な円筒形状の本体部と、本体部から半径方向に伸びる針状部と、本体部の軸方向に対して垂直な断面において、円筒形状の内部から外部にかけて連通する切込部とを有し、架空ケーブルを本体部に挿入する場合に、切込部を架空ケーブルが通過して本体部の内部に収容される。
【００１０】
好適には、上記構成において、切込部が本体部の軸方向に蛇腹状に蛇行して形成されている。
【００１１】
好適には、上記構成において、本体部には、周方向に伸びる貫通穴が複数形成されている。
【００１２】
好適には、上記構成において、針状部が切込部から離間した位置に形成される。
【００１３】
好適には、上記構成において、針状部が所定の半径方向に伸びる第１針状部と、第１針状部とは別の半径方向に形成される第２針状部と、第１針状部及び第２針状部とは別の半径方向に形成される第３針状部とを有し、第１針状部と第２針状部との間に、切込部が形成されており、第３針状部は、第１針状部と第２針状部との間であって、切込部を含まない側の間に形成されており、第１針状部と第２針状部とが切込部を含んでなす角度は、第２針状部と第３針状部とがなす角度よりも大きく形成される。
【００１４】
好適には、上記構成において、本体部の軸方向端部には、同一形状の他の鳥害防止具と連結する為の連結部が形成されている。
【発明の効果】
【００１５】
本発明によれば、単純な構成で、長さの長いケーブルに対して、簡単に取り付けることが可能な鳥害防止具を提供することができる。
【図面の簡単な説明】
【００１６】
【図１】本発明の第１実施形態に係る鳥害防止具の全体斜視図である。
【図２】本発明の第１実施形態に係る鳥害防止具を上面から見た上面図である。
【図３】本発明の第１実施形態に係る鳥害防止具を側面から見た側面図である。
【図４】本発明の第１実施形態に係る鳥害防止具を底面から見た底面図である。
【図５】本発明の第１実施形態に係る鳥害防止具を正面から見た正面図である。
【図６】本発明の第１実施形態に係る鳥害防止具の連結部における一部拡大斜視図である。
【図７】本発明の第１実施形態に係る鳥害防止具の連結部における一部拡大側面図である。
【図８】本発明の第１実施形態に係る鳥害防止具に用いる挿入用治具の全体斜視図である。
【図９】本発明の第２実施形態に係る鳥害防止具の全体斜視図である。
【図１０】本発明の第２実施形態に係る鳥害防止具を上面から見た上面図である。
【図１１】本発明の第２実施形態に係る鳥害防止具を側面から見た側面図である。
【図１２】本発明の第２実施形態に係る鳥害防止具を底面から見た底面図である。
【図１３】本発明の第２実施形態に係る鳥害防止具を正面から見た正面図である。
【図１４】本発明の第２実施形態に係る鳥害防止具の連結部における一部拡大斜視図である。
【図１５】本発明の第２実施形態に係る鳥害防止具の連結部における一部拡大側面図である。
【発明を実施するための形態】
【００１７】
＜本発明の第１実施形態＞
図１は、本発明の第１実施形態に係る鳥害防止具１の全体斜視図である。図２は、本発明の第１実施形態に係る鳥害防止具１を上面から見た上面図である。図３は、本発明の第１実施形態に係る鳥害防止具１を側面から見た側面図である。図４は、本発明の第１実施形態に係る鳥害防止具１を底面から見た底面図である。図５は、本発明の第１実施形態に係る鳥害防止具１を正面から見た正面図である。図６は、本発明の第１実施形態に係る鳥害防止具１の連結部における一部拡大斜視図である。図７は、本発明の第１実施形態に係る鳥害防止具１の連結部における一部拡大側面図である。
【００１８】
本実施形態の鳥害防止具１は、架空ケーブルを内部に収容可能なように円筒形状に形成された本体部２と、長手方向に延びる本体部２に対して垂直に半径方向に伸びる針状部１１ａ、１２ａ、１３ａと、本体部２の軸方向に対して垂直な断面において、円筒形状の内部から外部にかけて連通する切込部１００とを有し、架空ケーブルを本体部２に挿入する場合に、切込部１００を架空ケーブルが通過して本体部２の内部に収容される。針状部１１ａ、１２ａ、１３ａは、切込部１００から離間した位置に形成される。
【００１９】
鳥害防止具１は、長手方向に延びる円筒形状の本体部２に対して垂直に半径方向へ３方向に突き出る第１針状部１１ａ、第２針状部１２ａ、第３針状部１３ａを備える。針状部が所定の半径方向に伸びる第１針状部１１ａと、第１針状部１１ａとは別の半径方向に形成される第２針状部１２ａと、第１針状部１１ａ及び第２針状部１２ａとは別の半径方向に形成される第３針状部１３ａとなっている。第１針状部１１ａと第２針状部１２ａと第３針状部１３ａは、本体部２の長軸方向垂直断面において、同一断面に形成される。
【００２０】
１つの鳥害防止具１に、１６個の第１針状部１１ａ，１１ｂ，１１ｃ，１１ｄ，１１ｅ，１１ｆ，１１ｇ，１１ｈ，１１ｉ，１１ｊ，１１ｋ，１１ｌ，１１ｍ，１１ｎ，１１ｏ，１１ｐが、等間隔で本体部２の長手方向に対して設けられている。また、１つの鳥害防止具１に、１６個の第２針状部１２ａ，１２ｂ，１２ｃ，１２ｄ，１２ｅ，１２ｆ，１２ｇ，１２ｈ，１２ｉ，１２ｊ，１２ｋ，１２ｌ，１２ｍ，１２ｎ，１２ｏ，１２ｐが、等間隔で本体部２の長手方向に対して設けられている。さらに、１つの鳥害防止具１に、１６個の第３針状部１３ａ，１３ｂ，１３ｃ，１３ｄ，１３ｅ，１３ｆ，１３ｇ，１３ｈ，１３ｉ，１３ｊ，１３ｋ，１３ｌ，１３ｍ，１３ｎ，１３ｏ，１３ｐが、等間隔で本体部２の長手方向に対して設けられている。１つの鳥害防止具１は、合計４８個の針状部を有している。
【００２１】
第３針状部１３ａ（以下、適宜、第３針状部１３ａ，１３ｂ，１３ｃ，１３ｄ，１３ｅ，１３ｆ，１３ｇ，１３ｈ，１３ｉ，１３ｊ，１３ｋ，１３ｌ，１３ｍ，１３ｎ，１３ｏ，１３ｐの代表として１３ａを用いる）の突き出る方向を上側とする。図２は、第３針状部１３ａの頂点側から見た、鳥害防止具１の上面図となっている。第３針状部１３ａに対して、図２の本体部２の下側に第１針状部１１ａ（以下、適宜、第１針状部１１ａ，１１ｂ，１１ｃ，１１ｄ，１１ｅ，１１ｆ，１１ｇ，１１ｈ，１１ｉ，１１ｊ，１１ｋ，１１ｌ，１１ｍ，１１ｎ，１１ｏ，１１ｐの代表として１１ａを用いる）が突き出て形成される。第３針状部１３ａに対して、図２の本体部２の上側に第２針状部１２ａ（以下、適宜、第２針状部１２ａ，１２ｂ，１２ｃ，１２ｄ，１２ｅ，１２ｆ，１２ｇ，１２ｈ，１２ｉ，１２ｊ，１２ｋ，１２ｌ，１２ｍ，１２ｎ，１２ｏ，１２ｐの代表として１２ａを用いる）が突き出て形成される。
【００２２】
針状部は、その断面において円や楕円、三角形、長方形または板状などどのような形状であってもよい。また、棘などがついていてもよく、鳥獣が避けたがるような形状になっていればよい。
【００２３】
図３は、第１針状部１１ａが本体部２に接続される部位が横になる位置から見た、鳥害防止具１の側面図となっている。図４は、架空ケーブルが本体部２に収納されるときに通過する切込部１００がまっすぐに見られる位置から見た、鳥害防止具１の底面図となっている。図５は、３方向に突き出る第１針状部１１ａ、第２針状部１２ａ、第３針状部１３ａが伸びる方向の関係がわかる、鳥害防止具１の正面図となっている。
【００２４】
長手方向に延びる円筒形状の本体部２は、可撓性を備える素材から構成されている。第１針状部１１ａ、第２針状部１２ａ、第３針状部１３ａが筒状部に接続されている部分から次の第１針状部１１ｂ、第２針状部１２ｂ、第３針状部１３ｂが接続されている部分までの距離Ａは、第１針状部１１ｂ、第２針状部１２ｂ、第３針状部１３ｂが接続されている部分から次の第１針状部１１ｃ、第２針状部１２ｃ、第３針状部１３ｃが接続されている部分の距離Ａとほぼ同じとなっており、長手方向に同様にほぼ同距離で針状部が形成されている。第１針状部１１ａ〜１１ｐ、第２針状部１２ａ〜１２ｐ、第３針状部１３ａ〜１３ｐが、本体部２の長軸方向に渡って、ほぼ同間隔で設けられている。
【００２５】
本体部２には、周方向に伸びるスリット状の貫通穴２０〜２８が、本体部２の直径の半分くらいの位置まで複数形成されている。例えば、貫通穴は、円筒の本体部２の１／４から１／２程度まで切れ込んでいる。この貫通穴２０〜２８によって、本体部２は曲げやすくなっている。例えば、３つの貫通穴２０〜２２が、第１針状部１１ａ、第２針状部１２ａ、第３針状部１３ａが筒状部に接続されている部分から次の第１針状部１１ｂ、第２針状部１２ｂ、第３針状部１３ｂが接続されている部分までの間に、ほぼ等間隔で設けられている。
【００２６】
より具体的には、貫通穴２０と貫通穴２１の距離Ｂは、貫通穴２１と貫通穴２２の距離Ｂとほぼ同じとなっており、距離Ａの半分以下であって、１／３程度の距離となっている。このような貫通穴２３〜２５が、第１針状部１１ｂ、第２針状部１２ｂ、第３針状部１３ｂが接続されている部分から次の第１針状部１１ｃ、第２針状部１２ｃ、第３針状部１３ｃが接続されている部分にもと、同じように設けられている。貫通穴は、本体部２の長軸方向に渡って、ほぼ同間隔で設けられている。これにより、より曲げやすい構造となり、本実施形態の鳥害防止具１を取り付ける架空ケーブルがどのような曲り方をしていても対応することができる。また、曲がりやすいため、取付けの際にも有効である。
【００２７】
図４に示すように、第１針状部１１ａと第２針状部１２ａとの間に、切込部１００が形成されている。切込部１００は本体部２の長軸方向に対して直線で形成されている。第３針状部１３ａは、第１針状部１１ａと第２針状部１２ａとの間であって、切込部１００を含まない側の間に形成されている。
【００２８】
上記のように切込部１００があるので、架空ケーブルが本体部２の内部に収容された際、架空ケーブルの外径が鳥害防止具１の内径よりも大きい場合、ケーブルを締め付けるように鳥害防止具１が保持し、鳥害防止具１が回転しにくくなる。なお、切込部１００は直線としたが、鳥害防止具１に対して螺旋になるように形成してもよい。
【００２９】
また、図５で示すように、第１針状部１１ａと第２針状部１２ａとが切込部１００を含んでなす角度は、第２針状部１２ａと第３針状部１３ａとがなす角度よりも大きく形成されている。さらに、本実施形態では、第３針状部１３ａと第１針状部１１ａとがなす角度θと、第３針状部１３ａと第２針状部１２ａとがなす角度θがほぼ同一になるように形成されている。２θは１８０度を越えないようにする。
【００３０】
上記のように針状部が形成されることで、切込部１００の切り込みから架空ケーブルを通過させて、本体部２の内部に収容する際に、切込部１００付近に針状部が密に形成されいないため、作業者が手を入れやすく、後述する挿入用治具を用いて、取付をしやすい。
【００３１】
次に本実施形態の鳥害防止具１を複数繋げる場合について説明する。図６は、本発明の第１実施形態に係る鳥害防止具１の連結部における一部拡大斜視図である。図７は、本発明の第１実施形態に係る鳥害防止具１の連結部における一部拡大側面図である。本実施形態の鳥害防止具１は、本体部２の軸方向端部に、同一形状の他の鳥害防止具１’と連結する為の連結部１１０が形成されている。連結部１１０には連結穴１１１が形成されている。
【００３２】
図６および図７で示すように、連結穴１１１は、同一形状の他の鳥害防止具１’の連結部とは反対側の端部の第３針状部１３’ａが貫通する大きさになっている。図６および図７では、連結部１１０が第３針状部１３’ａに対してのみとなっているが、第１針状部１１’ａと第２針状部１２’ａに対して、それぞれ連結部を設けるように形成してもよい。この場合、１つの鳥害防止具１と他の鳥害防止具１’との連結が３つの部分で行われ、連結部を強固に連結することができる。
【００３３】
次に、本実施形態の鳥害防止具１に用いる挿入用治具２００について説明する。図８は、本発明の第１実施形態に係る鳥害防止具１に用いる挿入用治具２００の全体斜視図である。挿入用治具２００は挿入用治具本体部２０１に対して、使用者が手で握るグリップ部２０２が形成されている。挿入用治具本体部２０１は、円筒状に形成されており、円筒状の内部に架空ケーブルを挿入するために、円筒状の一部が欠けて形成されている。使用時には、架空ケーブルが、この欠け部２０１Ｋを通過することで、挿入用治具本体部２０１の円筒状内部を挿通する。挿入用治具本体部２０１の上側には、鳥害防止具１の切込部１００を広げ、架空ケーブルが入りやすい状態を作るための挿入部２０３が形成されている。挿入部２０３は、挿入用治具本体部２０１の短手方向に広がる羽部２０３Ｗと、長手方向であって上方に向かって形成される挿入凸部２０３Ａで構成される。
【００３４】
鳥害防止具１の使用時には、使用者は、グリップ部２０２を握り、方向Ｘに挿入用治具２００を移動させながら、鳥害防止具１を方向Ｙへと挿入していく。この際、架空ケーブルは、挿入用治具本体部２０１の円筒状内部を挿通している。このように使用することで、簡単に架空ケーブルに対して、架空ケーブルどんな場所からも鳥害防止具１を装着することができる。
【００３５】
＜本発明の第２実施形態＞
次に本発明の第２実施形態について説明する。
図９は、本発明の第２実施形態に係る鳥害防止具３００の全体斜視図である。図１０は、本発明の第２実施形態に係る鳥害防止具３００を上面から見た上面図である。図１１は、本発明の第２実施形態に係る鳥害防止具３００を側面から見た側面図である。図１２は、本発明の第２実施形態に係る鳥害防止具３００を底面から見た底面図である。図１３は、本発明の第２実施形態に係る鳥害防止具３００を正面から見た正面図である。図１４は、本発明の第２実施形態に係る鳥害防止具３００の連結部における一部拡大斜視図である。図１５は、本発明の第２実施形態に係る鳥害防止具３００の連結部における一部拡大側面図である。なお、第１実施形態と同じ部位には同じ符号を用いる。
【００３６】
本実施形態の鳥害防止具３００は、架空ケーブルを内部に収容可能なように円筒形状に形成された本体部３０１と、長手方向に延びる本体部３０１に対して垂直に半径方向に伸びる針状部１１ａ、１２ａ、１３ａ、１４ａ、１５ａと、本体部３０１の軸方向に対して垂直な断面において、円筒形状の内部から外部にかけて、本体部３０１の軸方向に蛇腹状に蛇行して形成され、連通する蛇腹状切込部１０１とを有し、架空ケーブルを本体部３０１に挿入する場合に、蛇腹状切込部１０１を架空ケーブルが通過して本体部３０１の内部に収容される。針状部１１ａ、１２ａ、１３ａ、１４ａ、１５ａは、蛇腹状切込部１０１から離間した位置に形成される。
【００３７】
鳥害防止具３００は、長手方向に延びる円筒形状の本体部３０１に対して垂直に半径方向へ５方向に突き出る第１針状部１１ａ、第２針状部１２ａ、第３針状部１３ａ、第４針状部１４ａ、第５針状部１５ａを備える。針状部が所定の半径方向に伸びる第１針状部１１ａと、第１針状部１１ａとは別の半径方向に形成される第２針状部１２ａと、第１針状部１１ａ及び第２針状部１２ａとは別の半径方向に形成される第３針状部１３ａとなっている。第１針状部１１ａと第２針状部１２ａと第３針状部１３ａは、本体部３０１の長軸方向垂直断面において、同一断面に形成される。さらに、第１針状部１１ａ、第２針状部１２ａ、第３針状部１３ａが形成される垂直断面とは、長軸方向に所定の距離をおいた垂直断面において、第１針状部１１ａと第２針状部１２ａと第３針状部１３ａとは、別の半径方向に第４針状部１４ａおよび第５針状部１５ａが形成される。第４針状部１４ａと第５針状部１５ａは、本体部３０１の長軸方向垂直断面において、同一断面に形成され、別の半径方向に形成される。
【００３８】
１つの鳥害防止具３００には、１６個の第１針状部１１ａ，１１ｂ，１１ｃ，１１ｄ，１１ｅ，１１ｆ，１１ｇ，１１ｈ，１１ｉ，１１ｊ，１１ｋ，１１ｌ，１１ｍ，１１ｎ，１１ｏ，１１ｐと１６個の第２針状部１２ａ，１２ｂ，１２ｃ，１２ｄ，１２ｅ，１２ｆ，１２ｇ，１２ｈ，１２ｉ，１２ｊ，１２ｋ，１２ｌ，１２ｍ，１２ｎ，１２ｏ，１２ｐと１６個の第３針状部１３ａ，１３ｂ，１３ｃ，１３ｄ，１３ｅ，１３ｆ，１３ｇ，１３ｈ，１３ｉ，１３ｊ，１３ｋ，１３ｌ，１３ｍ，１３ｎ，１３ｏ，１３ｐ以外に、１６個の第４針状部１４ａ，１４ｂ，１４ｃ，１４ｄ，１４ｅ，１４ｆ，１４ｇ，１４ｈ，１４ｉ，１４ｊ，１４ｋ，１４ｌ，１４ｍ，１４ｎ，１４ｏ，１４ｐと、１６個の第５針状部１５ａ，１５ｂ，１５ｃ，１５ｄ，１５ｅ，１５ｆ，１５ｇ，１５ｈ，１５ｉ，１５ｊ，１５ｋ，１５ｌ，１５ｍ，１５ｎ，１５ｏ，１５ｐが、本体部３０１の長手方向に対して設けられている。
【００３９】
第３針状部１３ａ（以下、適宜、第３針状部１３ａ，１３ｂ，１３ｃ，１３ｄ，１３ｅ，１３ｆ，１３ｇ，１３ｈ，１３ｉ，１３ｊ，１３ｋ，１３ｌ，１３ｍ，１３ｎ，１３ｏ，１３ｐの代表として１３ａを用いる）の突き出る方向を上側とする。図１０は、第３針状部１３ａの頂点側から見た、鳥害防止具１の上面図となっている。第３針状部１３ａに対して、図１０の本体部３０１の紙面上で下側に第１針状部１１ａ（以下、適宜、第１針状部１１ａ，１１ｂ，１１ｃ，１１ｄ，１１ｅ，１１ｆ，１１ｇ，１１ｈ，１１ｉ，１１ｊ，１１ｋ，１１ｌ，１１ｍ，１１ｎ，１１ｏ，１１ｐの代表として１１ａを用いる）が突き出て形成される。第３針状部１３ａに対して、図１０の本体部３０１の紙面上で上側に第２針状部１２ａ（以下、適宜、第２針状部１２ａ，１２ｂ，１２ｃ，１２ｄ，１２ｅ，１２ｆ，１２ｇ，１２ｈ，１２ｉ，１２ｊ，１２ｋ，１２ｌ，１２ｍ，１２ｎ，１２ｏ，１２ｐの代表として１２ａを用いる）が突き出て形成される。
【００４０】
さらに、第３針状部１３ａに対して、図１０の本体部３０１の紙面上で下側であって、第１針状部１１ａと第２針状部１２ａと第３針状部１３ａを含む平面から、本体部３０１の長軸上で所定の距離離れた位置に第４針状部１４ａ（以下、適宜、第４針状部１４ａ，１４ｂ，１４ｃ，１４ｄ，１４ｅ，１４ｆ，１４ｇ，１４ｈ，１４ｉ，１４ｊ，１４ｋ，１４ｌ，１４ｍ，１４ｎ，１４ｏ，１４ｐの代表として１４ａを用いる）が突き出て形成される。第３針状部１３ａに対して、図１０の本体部３０１の紙面上で上側であって、第４針状部１４ａを含む平面に第５針状部１５ａ（以下、適宜、第５針状部１５ａ，１５ｂ，１５ｃ，１５ｄ，１５ｅ，１５ｆ，１５ｇ，１５ｈ，１５ｉ，１５ｊ，１５ｋ，１５ｌ，１５ｍ，１５ｎ，１５ｏ，１５ｐの代表として１５ａを用いる）が突き出て形成される。なお、第１針状部１１ａと第２針状部１２ａと第３針状部１３ａを含む平面と、第４針状部１４ａと第５針状部１５ａを含む平面とは平行であって、本体部３０１の長軸に対して垂直であることが好ましい。これにより複数設けられた針状部同士が絡まずに配置することができる。
【００４１】
図１１は、第１針状部１１ａが本体部３０１に接続される部位が横になる位置から見た、鳥害防止具３００の側面図となっている。図１２は、架空ケーブルが本体部３０１に収納されるときに通過する蛇腹状切込部１０１が見られる位置から見た、鳥害防止具３００の底面図となっている。図１３は、５方向に突き出る第１針状部１１ａ、第２針状部１２ａ、第３針状部１３ａ、第４針状部１４ａ、第５針状部１５ａが延びる方向の関係がわかる、鳥害防止具３００の正面図となっている。このように５方向に針状部が延びているため、万が一、鳥害防止具３００が回動しても駐鳥防止効果を損なわない。
【００４２】
長手方向に延びる円筒形状の本体部３０１は、可撓性を備える素材から構成されている。第１針状部１１ａ、第２針状部１２ａ、第３針状部１３ａが筒状部に接続されている部分から次の第１針状部１１ｂ、第２針状部１２ｂ、第３針状部１３ｂが接続されている部分までの距離Ａは、第１針状部１１ｂ、第２針状部１２ｂ、第３針状部１３ｂが接続されている部分から次の第１針状部１１ｃ、第２針状部１２ｃ、第３針状部１３ｃが接続されている部分の距離Ａとほぼ同じとなっており、長手方向に同様にほぼ同距離で針状部が形成されている。第１針状部１１ａ〜１１ｐ、第２針状部１２ａ〜１２ｐ、第３針状部１３ａ〜１３ｐが、本体部３０１の長軸方向に渡って、ほぼ同間隔で設けられている。
【００４３】
第４針状部１４ａ、第５針状部１５ａが筒状部に接続されている部分から次の第４針状部１４ｂ、第５針状部１５ｂが接続されている部分までの距離Ｃは、第４針状部１４ｂ、第５針状部１５ｂが接続されている部分から次の第４針状部１４ｃ、第４針状部１４ｃが接続されている部分の距離Ｃとほぼ同じとなっており、長手方向に同様にほぼ同距離で針状部が形成されている。第４針状部１４ａ〜１４ｐ、第５針状部１５ａ〜１５ｐが、本体部３０１の長軸方向に渡って、ほぼ同間隔で設けられている。なお、距離Ｃは距離Ａとほぼ同じである。
【００４４】
本体部３０１には、周方向に伸びるスリット状の貫通穴２０〜２８が、本体部２の直径の半分くらいの位置まで複数形成されている。この貫通穴２０〜２８によって、本体部３０１は曲げやすくなっている。例えば、３つの貫通穴２０〜２２が、第１針状部１１ａ、第２針状部１２ａ、第３針状部１３ａが筒状部に接続されている部分から次の第１針状部１１ｂ、第２針状部１２ｂ、第３針状部１３ｂが接続されている部分までの間に、ほぼ等間隔で設けられている。
【００４５】
より具体的には、貫通穴２０と貫通穴２１の距離Ｂは、貫通穴２１と貫通穴２２の距離Ｂとほぼ同じとなっており、距離Ａの半分以下であって、１／３程度の距離となっている。このような貫通穴２３〜２５が、第１針状部１１ｂ、第２針状部１２ｂ、第３針状部１３ｂが接続されている部分から次の第１針状部１１ｃ、第２針状部１２ｃ、第３針状部１３ｃが接続されている部分にもと、同じように設けられている。貫通穴は、本体部２の長軸方向に渡って、ほぼ同間隔で設けられている。これにより、より曲げやすい構造となり、本実施形態の鳥害防止具１を取り付ける架空ケーブルがどのような曲り方をしていても対応することができる。
【００４６】
図１２で示すように、蛇腹状切込部１０１は、本体部３０１の軸方向に蛇腹状に蛇行して形成される。蛇腹状切込部１０１は、第４針状部１４ａと第５針状部１５ａとの間に形成されている。第１針状部１１ａと第２針状部１２ａと第３針状部１３ａは、第４針状部１４ａと第５針状部１５ａとの間であって、蛇腹状切込部１０１を含まない側の間に形成されている。
【００４７】
蛇腹状切込部１０１は、本体部３０１の長軸方向に蛇腹状に蛇行して形成されているので、本体部３０１の内部に収容される架空ケーブルに対して、保持力がある。また、内部に収容された架空ケーブルは、蛇腹である切込のため、内部から外部には出にくい。さらに、蛇腹構造であるため、本体部３０１の周方向への柔軟性が高く、より曲げやすい。
【００４８】
図１３で示すように、第１針状部１１ａと第２針状部１２ａとが蛇腹状切込部１０１を含んでなす角度は、第２針状部１２ａと第３針状部１３ａとがなす角度よりも大きく形成されている。さらに、本実施形態では、第３針状部１３ａと第１針状部１１ａとがなす角度θと、第３針状部１３ａと第２針状部１２ａとがなす角度θがほぼ同一になるように形成されている。２θは１８０度を越えないようにする。また蛇腹状切込部１０１と第５針状部１５ａとがなす角度αは角度θよりも小さい。蛇腹状切込部１０１から架空ケーブルを収納する際に、蛇腹状切込部１０１側に手が入るスペースができるように各角度を決めることが好ましい。
【００４９】
次に本実施形態の鳥害防止具３００を複数繋げる場合について説明する。図１４は、本発明の第２実施形態に係る鳥害防止具３００の連結部における一部拡大斜視図である。図１５は、本発明の第２実施形態に係る鳥害防止具３００の連結部における一部拡大側面図である。本実施形態の鳥害防止具３００は、本体部３０１の軸方向端部に、同一形状の他の鳥害防止具３００’と連結する為の連結部１１０が形成されている。連結部１１０には連結穴１１１が形成されている。
【００５０】
図１４および図１５で示すように、連結穴１１１は、同一形状の他の鳥害防止具３００’の連結部とは反対側の端部の第３針状部１３’ａが貫通する大きさになっている。図１４および図１５では、連結部１１０が第３針状部１３’ａに対してのみとなっているが、第１針状部１１’ａと第２針状部１２’ａに対して、それぞれ連結部を設けるように形成してもよい。この場合、１つの鳥害防止具３００と他の鳥害防止具３００’との連結が３つの部分で行われ、連結部を強固に連結することができる。
【００５１】
＜実施形態の構成及び効果＞
以上の実施形態によれば、本発明の鳥害防止具は、架空ケーブルを内部に収容可能な円筒形状の本体部と、本体部から半径方向に伸びる針状部と、本体部の軸方向に対して垂直な断面において、円筒形状の内部から外部にかけて連通する切込部とを有し、架空ケーブルを本体部に挿入する場合に、切込部を架空ケーブルが通過して本体部の内部に収容される。
【００５２】
このような構成によって、単純な構成で、長さの長いケーブルに対して、簡単に取り付けることが可能となる。
【００５３】
上記構成において、切込部が本体部の軸方向に蛇腹状に蛇行して形成されている。
【００５４】
このような構成によって、本体部の内部に収納された架空ケーブルが外部に出にくくなることが可能となる。
【００５５】
上記構成において、本体部には、周方向に伸びる貫通穴が複数形成されている。
【００５６】
このような構成によって、柔軟性を高めることができ、曲げやすくなることが可能となる。
【００５７】
上記構成において、針状部が切込部から離間した位置に形成される。
【００５８】
このような構成によって、切込部付近に空間ができ、鳥害防止具を取り付けの際に、手や挿入用治具が入る空間ができる。
【００５９】
上記構成において、針状部が所定の半径方向に伸びる第１針状部と、第１針状部とは別の半径方向に形成される第２針状部と、第１針状部及び第２針状部とは別の半径方向に形成される第３針状部とを有し、第１針状部と第２針状部との間に、切込部が形成されており、第３針状部は、第１針状部と第２針状部との間であって、切込部を含まない側の間に形成されており、第１針状部と第２針状部とが切込部を含んでなす角度は、第２針状部と第３針状部とがなす角度よりも大きく形成される。
【００６０】
このような構成によって、針状が互いに絡まりにくくすることが可能となる。
【００６１】
上記構成において、本体部の軸方向端部には、同一形状の他の鳥害防止具と連結する為の連結部が形成されている。
【００６２】
このような構成によって、長い長さの架空ケーブルに対して、取付け時に簡単に対応が可能となる。
【産業上の利用可能性】
【００６３】
本発明の鳥害防止具は、長さの長いケーブルに対して、簡単に取り付けることで、鳥害からケーブルを守ることができる。
【符号の説明】
【００６４】
１  鳥害防止具
１’  鳥害防止具
２  本体部
１１ａ，１１ｂ，１１ｃ，１１ｄ，１１ｅ，１１ｆ，１１ｇ，１１ｈ，１１ｉ，１１ｊ，１１ｋ，１１ｌ，１１ｍ，１１ｎ，１１ｏ，１１ｐ  第１針状部
１２ａ，１２ｂ，１２ｃ，１２ｄ，１２ｅ，１２ｆ，１２ｇ，１２ｈ，１２ｉ，１２ｊ，１２ｋ，１２ｌ，１２ｍ，１２ｎ，１２ｏ，１２ｐ  第２針状部
１３ａ，１３ｂ，１３ｃ，１３ｄ，１３ｅ，１３ｆ，１３ｇ，１３ｈ，１３ｉ，１３ｊ，１３ｋ，１３ｌ，１３ｍ，１３ｎ，１３ｏ，１３ｐ  第３針状部
１４ａ，１４ｂ，１４ｃ，１４ｄ，１４ｅ，１４ｆ，１４ｇ，１４ｈ，１４ｉ，１４ｊ，１４ｋ，１４ｌ，１４ｍ，１４ｎ，１４ｏ，１４ｐ  第４針状部
１５ａ，１５ｂ，１５ｃ，１５ｄ，１５ｅ，１５ｆ，１５ｇ，１５ｈ，１５ｉ，１５ｊ，１５ｋ，１５ｌ，１５ｍ，１５ｎ，１５ｏ，１５ｐ  第５針状部
２０〜２８  貫通穴
１００  切込部
１０１  蛇腹状切込部
１１０  連結部
１１１  連結穴
２００  挿入用治具
２０１  挿入用治具本体部
２０２  グリップ部
２０３  挿入部
２０３Ａ  挿入凸部
２０３Ｗ  羽部
３００  鳥害防止具
３００’  鳥害防止具
３０１  本体部
【図１】
2016025728.tif 000003
【図２】
2016025728.tif 000004
【図３】
2016025728.tif 000005
【図４】
2016025728.tif 000006
【図５】
2016025728.tif 000007
【図６】
2016025728.tif 000008
【図７】
2016025728.tif 000009
【図９】
2016025728.tif 000010
【図１０】
2016025728.tif 000011
【図１１】
2016025728.tif 000012
【図１２】
2016025728.tif 000013
【図１３】
2016025728.tif 000014
【図１４】
2016025728.tif 000015
【図１５】
2016025728.tif 000016
【図８】
2016025728.tif 000017